【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
複数のエリアに設置され、ネットワークに接続することが可能な複数の画像形成装置を含む画像形成システムであって、
前記複数のエリアの各々について情報管理に関するレベルを示すレベル情報を管理する管理手段と、
画像形成のためのデータを含み、前記複数の画像形成装置の少なくとも１つに対して画像形成を行なわせるジョブを発行するジョブ発行手段と、
前記管理手段が管理するレベル情報に基づいて、前記ジョブ発行手段が発行するジョブの発行先として選択可能な画像形成装置を少なくとも１つ以上特定する特定手段と、を備えることを特徴とする画像形成システム。
【請求項２】
前記管理手段は前記複数のエリアの各々について人物の入室および退室を管理し、エリア内に入室している人物の属性に基づいて前記エリアのレベルを決定することを特徴とする、請求項１に記載の画像形成システム。
【請求項３】
前記管理手段は、エリア内に存在する人物が特定の属性である場合、当該エリアのレベルを前記特定の属性である人物が存在しない場合よりも高く設定することを特徴とする、請求項２に記載の画像形成システム。
【請求項４】
更に、前記複数のエリアの各々についてエリアの用途を示す種類情報を保持する種類情報保持手段を備え、
前記管理手段は更に前記種類情報保持手段が保持する前記エリアの種類情報に基づいて前記エリアのレベルを決定することを特徴とする、請求項２または３に記載の画像形成システム。
【請求項５】
更に、前記複数のエリアの各々についてエリアの広さを示す広さ情報を保持する広さ情報保持手段をそなえ、
前記管理手段は更に前記広さ情報保持手段が保持する前記エリアの広さ情報に基づいて前記エリアのレベルを決定することを特徴とする、請求項２または３に記載の画像形成システム。
【請求項６】
更に、前記複数の画像形成装置の各々がどのエリアに設置されているかを示す設置情報を管理するデバイス管理手段を備え、
前記特定手段は、前記管理手段が管理するレベル情報と、前記デバイス管理手段が管理する前記設置情報とに基づいて前記ジョブ発行手段が発行する前記ジョブの発行先として選択可能な画像形成装置を特定することを特徴とする、請求項１に記載の画像形成システム。
【請求項７】
前記特定手段は、他のエリアよりもレベルが低いエリアの情報を前記管理手段から取得し、前記取得したエリアの情報を前記デバイス管理手段に通知し、前記通知に基づいて前記デバイス管理手段から取得した当該エリア内に設置された画像形成装置の情報に基づいて前記選択可能な画像処理装置を特定することを特徴とする、請求項６に記載の画像形成システム。
【請求項８】
更に、前記デバイス管理手段から取得した画像形成装置の情報に基づき前記選択可能な画像形成装置に関する情報を表示する表示手段と、
前記表示手段に表示された前記情報からユーザの操作によって少なくとも１つの画像形成装置を選択する操作を受け付ける受付手段と、
前記ジョブ発行手段は前記受付手段が受け付けた操作によって特定される画像形成装置に対して前記ジョブを発行することを特徴とする、請求項７に記載の画像形成システム。
【請求項９】
前記レベル情報は、エリアの情報漏洩の危険度を示す情報であることを特徴とする、請求項１乃至８の何れか１項に記載の画像形成システム。
【請求項１０】
複数のエリアに設置され、ネットワークに接続することが可能な複数の画像形成装置を含む画像形成システムであって、
前記複数のエリアの各々について、エリア内に存在する人物と前記人物の属性情報とを管理する管理手段と、
画像形成のためのデータを含み、前記複数の画像形成装置の少なくとも１つに対して画像形成を行なわせるジョブを発行するジョブ発行手段と、
前記管理手段が管理する、前記複数のエリアの各々に存在する人物の属性情報に基づいて、前記ジョブ発行手段が発行するジョブの発行先として選択可能な画像形成装置を少なくとも１つ以上特定する特定手段と、を備えることを特徴とする画像形成システム。
【請求項１１】
複数のエリアに設置される複数の他の画像形成装置とネットワークを介して接続することが可能な画像形成装置であって、
前記ネットワークを介して接続される、前記複数のエリアの各々について情報管理に関するレベルを示すレベル情報を管理する管理装置から、前記管理装置が特定するエリアの情報を取得する取得手段と、
画像形成のためのデータを含み、前記複数の画像形成装置の少なくとも１つに対して画像形成を行なわせるジョブを発行するジョブ発行手段と、
前記取得手段が取得した前記エリアの情報に基づいて、前記ジョブ発行手段が発行するジョブの発行先として選択可能な画像形成装置を少なくとも１つ以上特定する特定手段と、を備えることを特徴とする画像形成装置。
【請求項１２】
前記レベル情報は、エリアの情報漏洩の危険度を示す情報であり、前記取得手段は前記前記管理装置が特定する、他のエリアよりも情報漏洩の危険度が低いエリアの情報を取得することを特徴とする、請求項１１に記載の画像形成装置。
【請求項１３】
複数のエリアに設置された複数の画像形成装置とネットワークを介して接続される画像形成装置であって、
前記複数のエリアの各々について、エリア内に存在する人物と前記人物の属性情報とを管理する管理装置から、特定属性の人物が存在しないエリアの情報を取得する取得手段と、
画像形成のためのデータを含み、前記複数の画像形成装置の少なくとも１つに対して画像形成を行なわせるジョブを発行するジョブ発行手段と、
前記取得手段が取得した前記エリアの情報に基づいて、前記ジョブ発行手段が発行するジョブの発行先として選択可能な画像形成装置を少なくとも１つ以上特定する特定手段と、を備えることを特徴とする画像形成装置。
【請求項１４】
複数のエリアに設置され、ネットワークに接続することが可能な複数の画像形成装置を含む画像形成システムにおけるジョブ発行方法であって、
前記複数のエリアの各々について情報管理に関するレベルを示すレベル情報を管理する管理工程と、
前記管理工程で管理するレベル情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とするジョブ発行方法。
【請求項１５】
複数のエリアに設置され、ネットワークに接続することが可能な複数の画像形成装置を含む画像形成システムにおけるジョブ発行方法であって、
前記複数のエリアの各々について、エリア内に存在する人物と前記人物の属性情報とを管理する管理工程と、
前記管理工程で管理する、前記複数のエリアの各々に存在する人物の属性情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とするジョブ発行方法。
【請求項１６】
複数のエリアに設置された複数の他の画像形成装置とネットワークを介して接続される画像形成装置におけるジョブ発行方法であって、
前記ネットワークを介して接続される、前記複数のエリアの各々について情報管理に関するレベルを示すレベル情報を管理する管理装置から、前記管理装置が特定するエリアの情報を取得する取得工程と、
前記取得工程で取得した前記エリアの情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とするジョブ発行方法。
【請求項１７】
複数のエリアに設置された複数の画像形成装置とネットワークを介して接続される画像形成装置におけるジョブ発行方法であって、
前記複数のエリアの各々について、エリア内に存在する人物と前記人物の属性情報とを管理する管理装置から、特定属性の人物が存在しないエリアの情報を取得する取得工程と、
前記取得工程で取得した前記エリアの情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とするジョブ発行方法。
【請求項１８】
複数のエリアに設置された複数の他の画像形成装置とネットワークを介して接続される画像形成装置におけるジョブ発行方法を画像形成装置に実行させるための制御プログラムであって、前記ジョブ発行方法は、
前記ネットワークを介して接続される、前記複数のエリアの各々について情報管理に関するレベルを示すレベル情報を管理する管理装置から、前記管理装置が特定するエリアの情報を取得する取得工程と、
前記取得工程で取得した前記エリアの情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする制御プログラム。
【請求項１９】
複数のエリアに設置された複数の画像形成装置とネットワークを介して接続される画像形成装置におけるジョブ発行方法を画像形成装置に実行させるための制御プログラムであって、前記ジョブ発行方法は、
前記複数のエリアの各々について、エリア内に存在する人物と前記人物の属性情報とを管理する管理装置から、特定属性の人物が存在しないエリアの情報を取得する取得工程と、
前記取得工程で取得した前記エリアの情報に基づいて、ジョブの発行先として選択可能な画像形成装置を少なくとも１つ以上特定する特定工程と、
前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする制御プログラム。
【手続補正２】
【補正対象書類名】明細書
【補正対象項目名】０００９
【補正方法】変更
【補正の内容】
【０００９】
上述のような課題を解決するために本発明の画像形成システムは、複数のエリアに設置され、ネットワークに接続することが可能な複数の画像形成装置を含む画像形成システムであって、前記複数のエリアの各々について情報管理に関するレベルを示すレベル情報を管理する管理手段と、画像形成のためのデータを含み、前記複数の画像形成装置の少なくとも１つに対して画像形成を行なわせるジョブを発行するジョブ発行手段と、前記管理手段が管理するレベル情報に基づいて、前記ジョブ発行手段が発行するジョブの発行先として選択可能な画像形成装置を少なくとも１つ以上特定する特定手段と、を備えることを特徴とする。
【手続補正３】
【補正対象書類名】明細書
【補正対象項目名】００１０
【補正方法】変更
【補正の内容】
【００１０】
また、本発明の画像形成システムは、複数のエリアに設置され、ネットワークに接続することが可能な複数の画像形成装置を含む画像形成システムであって、前記複数のエリアの各々について、エリア内に存在する人物と前記人物の属性情報とを管理する管理手段と、画像形成のためのデータを含み、前記複数の画像形成装置の少なくとも１つに対して画像形成を行なわせるジョブを発行するジョブ発行手段と、前記管理手段が管理する、前記複数のエリアの各々に存在する人物の属性情報に基づいて、前記ジョブ発行手段が発行するジョブの発行先として選択可能な画像形成装置を少なくとも１つ以上特定する特定手段と、を備えることを特徴とする。
【手続補正４】
【補正対象書類名】明細書
【補正対象項目名】００１１
【補正方法】変更
【補正の内容】
【００１１】
また、上述のような課題を解決するために本発明の画像形成装置は、複数のエリアに設置される複数の他の画像形成装置とネットワークを介して接続することが可能な画像形成装置であって、前記ネットワークを介して接続される、前記複数のエリアの各々について情報管理に関するレベルを示すレベル情報を管理する管理装置から、前記管理装置が特定するエリアの情報を取得する取得手段と、画像形成のためのデータを含み、前記複数の画像形成装置の少なくとも１つに対して画像形成を行なわせるジョブを発行するジョブ発行手段と、前記取得手段が取得した前記エリアの情報に基づいて、前記ジョブ発行手段が発行するジョブの発行先として選択可能な画像形成装置を少なくとも１つ以上特定する特定手段と、を備えることを特徴とする。
【手続補正５】
【補正対象書類名】明細書
【補正対象項目名】００１３
【補正方法】変更
【補正の内容】
【００１３】
また、上述のような課題を解決するために本発明の画像形成システムにおけるジョブ発行方法は、複数のエリアに設置され、ネットワークに接続することが可能な複数の画像形成装置を含む画像形成システムにおけるジョブ発行方法であって、前記複数のエリアの各々について情報管理に関するレベルを示すレベル情報を管理する管理工程と、前記管理工程で管理するレベル情報に基づいて、ジョブの発行先として選択可能な画像形成装置を少なくとも１つ以上特定する特定工程と、前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする。
【手続補正６】
【補正対象書類名】明細書
【補正対象項目名】００１４
【補正方法】変更
【補正の内容】
【００１４】
また、本発明の画像形成システムにおけるジョブ発行方法は、複数のエリアに設置され、ネットワークに接続することが可能な複数の画像形成装置を含む画像形成システムにおけるジョブ発行方法であって、前記複数のエリアの各々について情報管理に関するレベルを示すレベル情報を管理する管理工程と、前記管理工程で管理するレベル情報に基づいて、ジョブの発行先として選択可能な画像形成装置を少なくとも１つ以上特定する特定工程と、前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする。
【手続補正７】
【補正対象書類名】明細書
【補正対象項目名】００１５
【補正方法】変更
【補正の内容】
【００１５】
また、上述のような課題を解決するために本発明の画像形成装置におけるジョブ発行方法は、複数のエリアに設置され、ネットワークに接続することが可能な複数の画像形成装置を含む画像形成システムにおけるジョブ発行方法であって、前記複数のエリアの各々について、エリア内に存在する人物と前記人物の属性情報とを管理する管理工程と、前記管理工程で管理する、前記複数のエリアの各々に存在する人物の属性情報に基づいて、ジョブの発行先として選択可能な画像形成装置を少なくとも１つ以上特定する特定工程と、前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする。
【手続補正８】
【補正対象書類名】明細書
【補正対象項目名】００１６
【補正方法】変更
【補正の内容】
【００１６】
また、本発明の画像形成装置におけるジョブ発行方法は、複数のエリアに設置された複数の他の画像形成装置とネットワークを介して接続される画像形成装置におけるジョブ発行方法であって、前記ネットワークを介して接続される、前記複数のエリアの各々について情報管理に関するレベルを示すレベル情報を管理する管理装置から、前記管理装置が特定するエリアの情報を取得する取得工程と、前記取得工程で取得した前記エリアの情報に基づいて、ジョブの発行先として選択可能な画像形成装置を少なくとも１つ以上特定する特定工程と、前記特定工程で特定された１つ以上の画像形成装置の何れかに対して、画像形成のためのデータを含み、発行先の画像形成装置に対して画像形成を行なわせるジョブを発行するジョブ発行工程と、を備えることを特徴とする。